(57)【要約】      （修正有）【課題】結婚の証人を表示するプレートを自由に配置でき、レイアウトの変更が可能な結婚証明書を提供する。【解決手段】結婚証明書１は、結婚を証明する者が表示された表示面１０ａを有するプレート１０と、平坦に形成された平坦面２０ａを有する基板２０とを備え、複数のプレート１０が一つの平坦面２０ａに接触した状態で基板２０に保持される。基板２０は、平坦面２０ａを有する透明板２１と、透明板２１の平坦面２０ａに対向して配置される対向板と２２を有し、プレート１０は、表示面１０ａが平坦面２０ａに接触した状態で、透明板２１と対向板２２とで挟まれて保持される。【選択図】図１
0003232077.tif 000002
【実用新案登録請求の範囲】
【請求項１】
結婚を証明する者が表示された表示面を有するプレートと、
平坦に形成された平坦面を有する基板とを備え、
複数の前記プレートが一つの前記平坦面に接触した状態で前記基板に保持される
ことを特徴とする結婚証明書。
【請求項２】
前記基板が、前記平坦面を有する透明板と、前記透明板の前記平坦面に対向して配置される対向板とを有し、
前記プレートが、前記表示面が前記平坦面に接触した状態で、前記透明板と前記対向板とで挟まれて保持される
ことを特徴とする請求項１に記載の結婚証明書。
【請求項３】
前記表示面がＵＶ印刷により形成されている
ことを特徴とする請求項１又は２に記載の結婚証明書。
【請求項４】
前記プレート及び前記基板が磁性体を有し、
前記プレート及び前記基板の少なくともいずれか一方が着磁されている
ことを特徴とする請求項１に記載の結婚証明書。
【請求項５】
前記基板が、非磁性体からなり前記平坦面を有する非磁性板と、磁性体からなり前記平坦面の裏側に配置された磁性板とを有し、
前記プレートが着磁されている
ことを特徴とする請求項４に記載の結婚証明書。
【考案の詳細な説明】
【技術分野】
【０００１】
本考案は、結婚式や結婚披露宴等で使用される結婚証明書に関する。
【背景技術】
【０００２】
結婚式や披露宴等の演出アイテムの一つに結婚証明書が挙げられる。近年は人前式の結婚式が増加し、式の参加者が証人となる場合も多い。そのような場合、結婚証明書には証人として参加者の氏名等が表示される。特許文献１に開示される考案では、式の参加者が各々ウェルカムボードにシールを貼る等したうえにサインをすることによって、多くの参加者から結婚の承認を受けたことを表す結婚証明書を完成することができる。
【０００３】
特許文献１に記載の結婚証明書は、紙製の表示部材の所定の位置に、参加者が証人としてシールを貼り、氏名をサインするため、デザインを変更することができず、また一旦結婚証明書が完成すると、後で証人の配置を変更すること等はできなかった。
【０００４】
そこで、結婚の証人を表示するプレートを自由に配置することが可能な、結婚証明書が求められていた。
【先行技術文献】
【特許文献】
【０００５】
【特許文献１】実用新案登録第３１７８３１６号公報
【考案の概要】
【考案が解決しようとする課題】
【０００６】
上記問題点を鑑みて、本考案は、結婚の証人を表示するプレートを自由に配置でき、レイアウトの変更が可能な結婚証明書を提供することを目的とする。
【課題を解決するための手段】
【０００７】
本考案は、上記課題を解決するためになされたもので、請求項１に記載の考案は、結婚を証明する者が表示された表示面を有するプレートと、平坦に形成された平坦面を有する基板とを備え、複数の前記プレートが一つの前記平坦面に接触した状態で前記基板に保持されることを特徴とする結婚証明書である。
【０００８】
請求項２に記載の考案は、前記基板が、前記平坦面を有する透明板と、前記透明板の前記平坦面に対向して配置される対向板とを有し、前記プレートが、前記表示面が前記平坦面に接触した状態で、前記透明板と前記対向板とで挟まれて保持されることを特徴とする請求項１に記載の結婚証明書である。
【０００９】
請求項３に記載の考案は、前記表示面がＵＶ印刷により形成されていることを特徴とする請求項１又は２に記載の結婚証明書である。
【００１０】
請求項４に記載の考案は、前記プレート及び前記基板が磁性体を有し、前記プレート及び前記基板の少なくともいずれか一方が着磁されていることを特徴とする請求項１に記載の結婚証明書である。
【００１１】
請求項５に記載の考案は前記基板が、非磁性体からなり前記平坦面を有する非磁性板と、磁性体からなり前記平坦面の裏側に配置された磁性板とを有し、前記プレートが着磁されていることを特徴とする請求項４に記載の結婚証明書である。
【考案の効果】
【００１２】
本考案によれば、結婚の証人を表示するプレートを自由に配置でき、レイアウトの変更が可能な結婚証明書を提供することができる。
【図面の簡単な説明】
【００１３】
【図１】本考案の第一実施形態に係る結婚証明書を示す図であって、（ａ）は斜視図であり、（ｂ）は断面模式図である。
【図２】本考案の第二実施形態に係る結婚証明書を示す図であって、（ａ）は斜視図であり、（ｂ）は断面模式図である。
【考案を実施するための形態】
【００１４】
次に、本考案を適用した結婚証明書の実施形態について図面を参照しながら説明する。なお、以下に述べる実施形態は、本考案の好適な実施形態であるから、技術的に好ましい種々の限定が付されているが、本考案の範囲は、以下の説明において特に本考案を限定する旨の記載がない限り、これらの態様に限られるものではない。
【００１５】
（第一実施形態）
本考案の第一実施形態に係る結婚証明書の構成について、図１に基づき説明する。図１は、本考案の第一実施形態に係る結婚証明書を示す図であって、（ａ）は斜視図であり、（ｂ）は断面模式図である。なお図１（ａ）は遠近法が適用された斜視図である。
【００１６】
本実施形態に係る結婚証明書１は、プレート１０と、複数のプレート１０を保持する基板２０を備えている。図１（ａ）では、２７個の矩形のプレート１０が基板２０に保持されている。プレート１０はそれぞれ表示面１０ａを有し、表示面１０ａには結婚を証明する者が表示されている（図示は省略する）。矩形に形成された基板２０は透明板２１と対向板２２を有しており、透明板２１と対向板２２で、複数のプレート１０を挟み込んでいる。透明板２１と対向板２２は、クランプ部材３１，３１及び脚部材３２，３２により対向するよう結合されている。クランプ部材３１及び脚部材３２はそれぞれ公知のボルトとナットで構成されており、脚部材３２はボルトの軸長が長く構成され、結婚証明書１の脚として機能する。
【００１７】
透明板２１は透明であって、任意の材料で構成することができるが、アクリル等の透明な樹脂が好適に使用される。透明板２１は平坦に形成された平坦面２０ａを有する。対向板２２は透明でなくてもよく、任意の材料で構成することができるが、透明板２１と同じ材料で構成することも可能である。図１（ｂ）に示すように、対向板２２は平坦面２０ａに対向して配置されている。図１（ｂ）に示すように、複数のプレート１０はその表示面１０ａが平坦面２０ａに接触した状態で、透明板２１と対向板２２とで挟まれて保持されている。これにより、表示面１０ａは透明板２１を通して外から透けて見えることになる。なお、対向板２２に透明板２１に向け突出する突起を適宜設け、結婚証明書１を直立させた時にプレート１０が落ちないように構成することも可能である。
【００１８】
プレート１０の材質は任意であり、紙、木質材、樹脂など適宜に選択することができるが、アクリル等の透明度の高い樹脂が好適に使用される。プレート１０の表示面１０ａには、結婚式や披露宴等の参加者の氏名が表示されている。表示の方法は、印刷や刻印、レーザー彫刻等、任意の方法を使用できるが、アクリル等の透明な樹脂（その他にＰＰ，ＰＥＴ，ＰＶＣ等）にＵＶ印刷（紫外線硬化型のインキを使用した印刷）を施して表示すれば、摩耗に強い表示面１０ａを形成することができる。
【００１９】
このように構成した結婚証明書１は、複数のプレート１０を平坦面２０ａに沿って自由に配置でき、レイアウトの変更が可能となる。またプレート１０の表示面１０ａが耐摩耗性の高いＵＶ印刷で形成されているため、レイアウトの変更のためにプレート１０を平坦面２０ａに沿って繰り返し移動させても、印刷が剥がれるおそれが低減される。なお、図示のプレート１０は全て矩形であったが、任意の形状を採用することができる。
【００２０】
（第二実施形態）
本考案の第二実施形態に係る結婚証明書の構成について、図２に基づき説明する。図２は、本考案の第二実施形態に係る結婚証明書を示す図であって、（ａ）は斜視図であり、（ｂ）は断面模式図である。
【００２１】
本実施形態に係る結婚証明書２は、プレート１０と、複数のプレート１０を保持する基板２０を備えている。図２（ａ）では、９個の様々な形状のプレート１０が基板２０に保持されている。プレート１０はそれぞれ表示面１０ａを有し、表示面１０ａには結婚を証明する者が表示されている（図示は省略する）。矩形に形成された基板２０の縁には、額縁４０が設置されている。プレート１０及び基板２０は磁性体を有しており、本実施形態においては、プレート１０が着磁されている。
【００２２】
基板２０は、図２（ｂ）に示すように、非磁性体からなる非磁性板２３と磁性体からなる磁性板２４が、積層されて構成されている。非磁性板２３は任意の材料で構成することができるが、木質の薄いシート状の材料が好適に使用される。非磁性板２３は平坦に形成された平坦面２０ａを有する。磁性板２４は、磁性を有する任意の材料で構成することができるが、スチールのシートが好適に使用される。磁性板２４は、平坦面２０ａの裏側に配置されて非磁性板２３と積層されており、平坦面２０ａは外部に露出することになる。
【００２３】
プレート１０は、着磁し得る任意の材料で構成することができるが、マグネットシートで構成することも可能である。プレート１０の表示面１０ａには、結婚式や披露宴等の参加者の氏名が表示されている。表示の方法は、印刷や刻印、レーザー彫刻等、任意の方法を使用できる。本実施形態においてプレート１０の形状は、図２（ａ）に示すように一様でなく、様々な物をモチーフとして形作られている。
【００２４】
磁性を有するプレート１０を平坦面２０ａに配置すると、その裏に配置された磁性板２４との間で引力が発生するため、プレート１０は平坦面２０ａの上で保持される。このとき、多数のプレート１０の表示面１０ａが平坦面２０ａを背景として表れることになる。プレート１０は磁力により基板２０に保持されているため、着脱が容易であり、自由にレイアウトを変更することができる。
【００２５】
なお、プレート１０については任意の材料に磁石を付して構成することも可能である。また、プレート１０を着磁させることに代えて、磁性板２４を着磁させてプレート１０は着磁させないよう構成することも勿論可能である。
【符号の説明】
【００２６】
１，２  結婚証明書
１０    プレート
１０ａ  表示面
２０    基板
２０ａ  平坦面
２１    透明板
２２    対向板
２３    非磁性板
２４    磁性板
３１    クランプ部材
３２    脚部材
４０    額縁
【図１】
0003232077.tif 000003
【図２】
0003232077.tif 000004